(57)【特許請求の範囲】
【請求項１】
拡張スリーブ（２）を拡張するためのプラグ（３）内に係合させたスレッドシャンク（９）の周りに配列された前記拡張スリーブ（２）を有するアンカーであって、前記拡張スリーブ（２）は、軸線方向に圧縮可能な部分（１６）を有し、さらに、
前記圧縮可能なスリーブ部分（１６）は、せん断可能な手段（２４）を備え、該手段（２４）は、該手段（２４）がせん断された後に前記拡張スリーブ（２）を軸線方向に収縮させるように配列されており、
せん断可能な前記手段は、せん断可能であって且つ軸線方向に互いに噛み合うように形成された２つのスリーブ部分（２５、２６）を結合するブリッジ（２４）を備えることを特徴とするアンカー。
【請求項２】
せん断可能なそれぞれの前記ブリッジ（２４）は、軸平面に対して傾斜される請求項１に記載のアンカー。
【請求項３】
前記噛み合うスリーブ部分（２５、２６）は、圧縮可能である請求項１又は２に記載のアンカー。
【請求項４】
互いに噛み合う前記各スリーブ部分は、せん断可能な前記ブリッジ（２４）に沿って、１組になって歯先から歯元まで互いに噛み合うように当接する圧縮可能な歯（２７、２８）を有する櫛部（２５、２６）を備える請求項１〜３のいずれか１項に記載のアンカー。
【請求項５】
前記櫛部（２５、２６）の歯（２７、２８）は、前記アンカーの軸平面に対して傾斜される請求項４に記載のアンカー。
【請求項６】
前記スリーブ（２）は、巻き上げられた切り抜きシートメタルブランク（１４、１８、１６、２３）から成る請求項１〜５のいずれか１項に記載のアンカー。
【発明の詳細な説明】
【０００１】
【発明の属する技術分野】
本発明は、スリーブを拡張するためのプラグ内に係合させたスレッドシャンク（ねじ溝付きシャンク）周りに配列された拡張スリーブを有するアンカーであって、スリーブが軸線方向に圧縮可能な又は折り畳み可能な部分を有するアンカーに関する。
【０００２】
【従来の技術分野】
このようなアンカーは公知であるが、特に、国際公開公報第９６／２５６０１号、同第９２／０４５４７号及び独国特許第３０２３４１１号において記載されている。
【０００３】
石工支持体等の支持体に部品を取り付けたいときには、支持体に空けられたアンカリング穴（anchoring hole）に固定されるエキスパンションアンカー（拡張アンカー）等が使用される。固定されるべき部品がいくつかの場所で支持体から外れることもあり得る。圧縮部分を備えるスリーブ式のアンカーを使用することによりアンカーを固定する際に、圧縮可能なスリーブ部分を圧縮するために支持体に対して部品を押圧させることができる。しかしながら、圧縮可能なスリーブ部分を軸線方向に収縮させても、アンカーがアンカリング穴内に完全に固定される前には支持体に対して部品を十分に押圧できないことがある。
【０００４】
【発明が解決しようとする課題】
本願に係る発明は、このような不具合を克服することを目的とする。
【０００５】
【課題を解決するための手段】
すなわち、本願は、上記で定義されたタイプのエキスパンションアンカーであって、圧縮可能なスリーブ部分が、せん断可能な手段であって、該手段がせん断後にスリーブを軸線方向に収縮させるように配列されることを特徴とするアンカーに関する。
【０００６】
従って、スリーブ上にプラグによって軸線方向に働く力が作用する状態で、スリーブが拡張するように、一方ではスリーブのせん断とせん断による収縮と、他方ではスリーブの圧縮と圧縮による収縮とにより、アンカーが固定される前に支持体に対して固定されるべきである部品を押圧するために十分な軸線方向の全体収縮が保証されるように有利に完成する。
【０００７】
好ましくは、せん断可能な手段は、圧縮可能な手段が押圧される前にせん断されるように形成される。
【０００８】
有利には、せん断可能な手段は、せん断可能であって互いに軸線方向にネストする（噛み合う）ように形成された２つのスリーブ部分を結合するブリッジを備え、それぞれのブリッジは、軸平面に対して傾斜されることが好ましい。
【０００９】
また、好ましくは、ネストするスリーブ部分は、圧縮可能である。
【００１０】
本発明のアンカーの好ましい実施形態では、スリーブは、巻き上げられた切り抜きシートメタルブランク（切り抜き金属薄板の素材片）から成る。
【００１１】
本発明は、添付図面で参照される本発明のアンカーの好ましい実施形態についての以下記載により良く理解されよう。
【００１２】
【発明の実施の形態】
添付図面に記載のアンカーは、軸線２０のスレッド組立体１と、エキスパンダースリーブ２と、同心状のエキスパンダープラグ３とを備えている。スレッド組立体１は、スレッドシャンク又はスクリュー９と、適当な管状スペーシングピース８とを備えている。スレッドシャンク９は、ナットタイプのスレッド端部（ねじ溝付き端部）４とヘッド端部６とを有する。スラストワッシャ７は、スクリューヘッド６とスペーシングピース８との間に位置される。
【００１３】
スペーシングピース８は、アンカーが固定されるアンカリング位置の直径と略等しい直径を有する。
【００１４】
管状スペーシングピース８と同一直径を有する拡張スリーブ２は、スクリューヘッド６に対してスペーシングピース８の向かい合う環状エッジ１０を当接し、スペーシングピース８とエキスパンダープラグ３との間のシャンク９部分の周りに配列される。プラグ３は、内部にテーパが付けられ、シャンク９のスレッド端部４は、該プラグ内に係合している。シャンク１の自由端部方向に面するプラグ３の大ベース１１は、スペーシングピース８の外径に略等しい直径を有する。シャンク１のヘッド６方向に面するプラグ３の小ベース１２は、拡張スリーブ２の内径よりも僅かに小さい直径を有し、小ベースは、拡張スリーブ２内に係合可能であり、スリーブを拡張させる。
【００１５】
また拡張スリーブは、アンカーの軸線２０に本来一致するであろう軸線周りに巻き上げられる切り抜きシートメタルブランク１３から成る。
【００１６】
ブランク１３は、拡張円錐３が案内されるエッジとして付与するエッジ１５から開始する第一部１４とスペーシングピース８の環状エッジ１０に対して押圧する他側のエッジ１７近傍の第二部１６との２つの切り抜き領域を有する。
【００１７】
スリーブの拡張領域になる第一領域１４内の切り抜き１８は、拡張脚１９を形成するための形状を有する。切り抜き１８は、軸線２０に平行になる長手方向エッジを有する隙間であり、後にエキスパンダープラグ３の進入をさせやすくするようにエッジ１５の近傍２２で僅かに離れ、エッジ１５の反対側端部であってアイ２１内まで延び、該アイは僅かに楕円形であり、スリーブ拡張時にスリーブが破裂しないようにされている。
【００１８】
この例での第二領域１６の切り抜き２３は、２つの手段で形成され、第二領域は、せん断可能でありこのスリーブ部分の２つの部分２５、２６を結合するブリッジ２４をさらに有し且つせん断後に互いに軸線方向にネストすることができる、軸線方向に圧縮可能なスリーブ部分を形成する。
【００１９】
さらに詳細には、それぞれのネストする部分は、エッジ１５、１７に垂直な平面に対して傾斜され、且つせん断で破壊される図１の点線で示した非常に狭いブリッジ２４に沿って１組となって歯先から歯元まで互いに噛み合うように当接する圧縮可能な歯２７、２８を有する櫛部２５、２６を備えている。従って、一旦ブランクが巻き上げられると、歯２７、２８は、アンカーの軸平面に対して傾斜される。スリーブがプラグにより拡張されるようにエッジ１５、１６に対して垂直に働く圧縮力が作用する状態において、ブリッジ２４は、２つの櫛部２５、２６の歯２７、２８が互いに相手の表面を滑動する前であって且つ櫛部２５、２６がスリーブを軸線方向に縮めるように互いにネストする前に、せん断する。
【００２０】
一旦、櫛部が互いにネストされたときには、櫛部の歯２７、２８は、せん断により導かれた収縮を超えてスリーブ２をさらに圧縮性収縮させるように圧縮可能である。
【００２１】
型押しにより回転校正（rotation-proofing）突起４０はシャンク９のショルダー１０に対して押圧する櫛部２５に沿って創造されることが判るであろう。さらに、ブランクの厚さは、エッジ１５から始まり短部分４０を越えて内部に向かって徐々に減少し、一旦、ブランクが巻き上げられたときには、このスリーブの円錐開口は、円錐プラグ３に適合される。同様に、拡張を助けるために、支持材料が非常に堅い場合にはブランクの厚さはさらに減少されるが、このとき外面上、エッジ１５近傍に外部ショルダーを創造し、この領域４３の支持材料内の穴の壁方向に僅かに曲げられ、プラグは、スリーブをエキスパンダープラグ内に固着されずに通過することができる。
【００２２】
以上本発明のアンカーの３つの要素について説明してきたが、次に該要素の作用について説明する。結合されたこれらの要素について、図３の相対的位置では、アンカリング穴２９は既に部品３１が固定されるべき支持材料３０内に空けられており、またアンカー用の部品３１の通過穴３２も既に空けられ、アンカーは、部品３１内の穴３２を貫通され且つワッシャ７が部品３１に当接するまでアンカリング穴２９内に挿入され、支持体３０に当接しない（図４参照）。ナット６を使用して、スペーシングピース８とスリーブ２とを貫通するシャンク９は、回転校正突起４０により穴２９内で回転しないようにさせてプラグ３内へのねじ込みを開始し、プラグ３をスリーブ２内部で上昇開始させ、スリーブの拡張とスリーブの固定とプラグ３の固定を開始する。
【００２３】
シャンク９を穴２９内に固定されたプラグ３内にねじ込ませ続けることにより、スリーブ２の圧縮可能な部分１６のブリッジ２４は、せん断され、スリーブ２のスリーブ部分１６は、せん断で収縮され、シャンク９、従ってスレッド組立体１はアンカリング穴２９の中を下降し、部品３１は支持材料３０の自由表面４１に対して押圧される（図５参照）。例示のように固定されるべき部品３１は、せん断でスリーブの収縮に随伴して支持材料３０に対して押圧されたことが判るであろう。所望の場合、シャンクのねじ込みを続けられた状態で歯２７、２８の圧縮によりスリーブはさらに短縮されるであろう。一旦、ワッシャ７が部品３１に対して押圧され部品３１が支持材料３０に対して押圧された場合、シャンク９をエキスパンダープラグ３内にねじ込ませ続け、シャンク９をアンカリング穴２９内で下降させずプラグ３を穴２９の内部で上昇させ、スリーブ２を拡張させ続け、最終的にはアンカーを固定し、部品３１を支持体３０に固定する。
【図面の簡単な説明】
【図１】本発明の拡張スリーブを形成するように巻き上げられる前のシートメタルブランクの図である。
【図２】図１のブランクから得られる拡張スリーブの斜視図である。
【図３】本発明のアンカーの斜視図である。
【図４】部品を固定する前のアンカリング穴内の定位置のアンカーの軸方向断面の図である。
【図５】部品が固定された後のアンカーの軸方向断面の図である。
【符号の説明】
１…スレッド組立体
２…エキスパンダースリーブ
３…エキスパンダープラグ
４…スレッド端部
６…ヘッド端部
７…ワッシャ
８…スペーシングピース
９…スレッドシャンク
１３…切り抜きシートメタル
１５…エッジ
１８…ブランク
１９…拡張部
２４…ブリッジ
２５、２６…櫛部
２７、２８…歯
２９…アンカリング穴
３０…支持体
３１…部品
３２…通過穴
４０…突起
【図１】
0004060579.tif 000002
【図２】
0004060579.tif 000003
【図３】
0004060579.tif 000004
【図４】
0004060579.tif 000005
【図５】
0004060579.tif 000006